(57)【特許請求の範囲】
【請求項１】
ダイレクトトンネルを確立するための方法であって、
移動管理ネットワーク要素が、ユーザ端末の特性がダイレクトトンネルを確立するための所定の条件を満たしていると決定するステップと、
無線アクセスネットワークとゲートウェイとの間のダウンリンクダイレクトトンネルを確立するためにゲートウェイに要求メッセージを送信するステップと、
前記無線アクセスネットワークと前記ゲートウェイとの間の前記ダウンリンクダイレクトトンネルが正常に確立されたことを確認するための、前記ゲートウェイによって送信される応答メッセージを受信するステップと、
を有し、
前記ユーザ端末の前記特性が、少なくとも、前記ユーザ端末の接続状態とアイドル状態との間の切り替えの頻度を含む方法。
【請求項２】
請求項1に記載の方法であって、
前記移動管理ネットワーク要素が、前記ユーザ端末の前記特性がダイレクトトンネルを確立するための前記所定の条件を満たしていると決定するステップが、
前記移動管理ネットワーク要素が、前記ユーザ端末の接続状態とアイドル状態との間の切り替えの頻度を計数するステップと、
前記頻度が予め設定された頻度の範囲内にあることを決定するステップと、
を含む方法。
【請求項３】
請求項1に記載の方法であって、前記移動管理ネットワーク要素が、前記ユーザ端末の前記特性がダイレクトトンネルを確立するための前記所定の条件を満たしていると決定するステップが、
前記移動管理ネットワーク要素が、前記ユーザ端末のタイプが予め設定されたタイプの範囲内にあることを決定するステップ
を含む方法。
【請求項４】
請求項1に記載の方法であって、前記移動管理ネットワーク要素が、前記ユーザ端末の前記特性がダイレクトトンネルを確立するための前記所定の条件を満たしていると決定するステップが、
前記移動管理ネットワーク要素が、前記ユーザ端末のPDPコンテキストまたは前記ユーザ端末のベアラコンテキストに対応する受信したサービスの継続時間を計数し、前記継続時間が予め設定された継続時間の範囲内であると決定するステップ、または、
前記移動管理ネットワーク要素が、前記ユーザ端末のPDPコンテキストまたは前記ユーザ端末のベアラコンテキストに対応するダウンリンクデータパケットの量を計数し、前記量が予め設定された量の範囲内であると判断するステップ、または、
前記移動管理ネットワーク要素が、前記ユーザ端末のPDPコンテキストまたは前記ユーザ端末のベアラコンテキストに対応する前記ダウンリンクデータパケットのトラフィックを計数し、前記トラフィックが予め設定されたトラフィックの範囲内であると判断するステップ、または、
前記移動管理ネットワーク要素が、前記ユーザ端末のPDPコンテキストまたは前記ユーザ端末のベアラコンテキストに対応する前記ダウンリンクデータパケット間の時間間隔を計数し、前記時間間隔が予め設定された時間間隔の範囲内であると判断するステップ、
を含む方法。
【請求項５】
請求項1に記載の方法であって、前記移動管理ネットワーク要素が、前記ユーザ端末の前記特性がダイレクトトンネルを確立するための前記所定の条件を満たしていると決定するステップが、
前記移動管理ネットワーク要素が、前記ユーザ端末のPDPコンテキストまたは前記ユーザ端末のベアラコンテキストに対応するサービスのタイプが、予め設定されたサービスタイプであることを決定するステップ、
を含む方法。
【請求項６】
請求項1から5のいずれか１項に記載の方法であって、前記ユーザ端末の前記特性が、前記ユーザ端末のシグナリング特性と前記ユーザ端末のサービス属性とのうちの少なくとも1つを含み、
前記ユーザ端末の前記シグナリング特性が、前記ユーザ端末の接続状態とアイドル状態との間の切り替えの頻度と前記ユーザ端末のタイプとの少なくとも1つを含み、
前記ユーザ端末の前記サービス属性が、前記ユーザ端末のパケットデータプロトコル（PDP）コンテキストまたは前記ユーザ端末のベアラコンテキストに対応するサービスの継続時間、サービスのタイプ、前記ユーザ端末のPDPコンテキストまたは前記ユーザ端末の前記ベアラコンテキストに対応するダウンリンクデータパケットの継続時間、前記ダウンリンクデータパケットの量、前記ダウンリンクデータパケットのトラフィック、および、前記ダウンリンクデータパケット間の時間間隔の少なくとも1つを含む、
方法。
【請求項７】
請求項1から6のいずれか１項に記載の方法であって、
ダイレクトトンネルを確立するための前記所定の条件が、前記移動管理ネットワーク要素上に構成されている、または
ダイレクトトンネルを確立するための前記所定の条件は、オペレーションおよびメンテナンスネットワーク要素またはパラメータ配信ネットワーク要素上に構成されており、前記移動管理ネットワーク要素に配信される、
方法。
【請求項８】
ダイレクトトンネルを確立するための装置であって、
ユーザ端末の特性がダイレクトトンネルを確立するための所定の条件を満たしていると決定するように構成されている決定部と、
無線アクセスネットワークとゲートウェイとの間のダウンリンクダイレクトトンネルを確立するためにゲートウェイに要求メッセージを送信するように構成されている送信部と、
前記無線アクセスネットワークと前記ゲートウェイとの間の前記ダウンリンクダイレクトトンネルが正常に確立されたことを確認するための、前記ゲートウェイによって送信される応答メッセージを受信するように構成されている受信部と、
を備え、
前記ユーザ端末の前記特性が、少なくとも、前記ユーザ端末の接続状態とアイドル状態との間の切り替えの頻度を含む装置。
【請求項９】
請求項8に記載の装置であって、前記決定部が、
前記ユーザ端末の接続状態とアイドル状態との間の切り替えの頻度を計数するように構成されている第１計数部と、
前記頻度が予め設定された頻度の範囲内にあることを決定するように構成されている第１決定部と、
を備える装置。
【請求項１０】
請求項8に記載の装置であって、
前記決定部が、特に、前記ユーザ端末のタイプが予め設定されたタイプの範囲内にあることを決定するように構成されている装置。
【請求項１１】
請求項8に記載の装置であって、
前記ユーザ端末のPDPコンテキストまたは前記ユーザ端末のベアラコンテキストに対応する受信したサービスの継続時間を計数するように構成されている第２計数部と、
前記継続時間が予め設定された継続時間の範囲内にあることを決定するように構成されている第２決定部、または、
前記第２計数部が、前記ユーザ端末のPDPコンテキストまたは前記ユーザ端末のベアラコンテキストに対応するダウンリンクデータパケットの量を計数するように構成されており、前記第２決定部が、前記量が予め設定された量の範囲内にあることを決定するように構成されている、または、
前記第２計数部が、前記ユーザ端末のPDPコンテキストまたは前記ユーザ端末のベアラコンテキストに対応する前記ダウンリンクデータパケットのトラフィックを計数するように構成されており、前記第２決定部が、前記トラフィックが予め設定されたトラフィックの範囲内にあることを決定するように構成されている、または、
前記第２計数部が、前記ユーザ端末のPDPコンテキストまたは前記ユーザ端末のベアラコンテキストに対応する前記ダウンリンクデータパケットの時間間隔を計数するように構成されており、前記第２決定部が、前記時間間隔が予め設定された時間間隔の範囲内にあることを決定するように構成されている、
装置。
【請求項１２】
請求項8に記載の装置であって、前記決定部は、特に、前記ユーザ端末のPDPコンテキストまたは前記ユーザ端末のベアラコンテキストに対応するサービスのタイプが、予め設定されたサービスのタイプの範囲内にあることを決定するように構成されている、装置。
【請求項１３】
請求項8から12のいずれか１項に記載の装置であって、前記ユーザ端末の前記特性が、前記ユーザ端末のシグナリング特性と前記ユーザ端末のサービス属性とのうちの少なくとも1つを含み、
前記ユーザ端末の前記シグナリング特性が、前記ユーザ端末の接続状態とアイドル状態との間の切り替えの頻度と前記ユーザ端末のタイプとの少なくとも1つを含み、
前記ユーザ端末の前記サービス属性が、前記ユーザ端末のPDPコンテキストまたは前記ユーザ端末のベアラコンテキストに対応するサービスの継続時間、サービスのタイプ、前記ユーザ端末の前記PDPコンテキストまたは前記ユーザ端末の前記ベアラコンテキストに対応するダウンリンクデータパケットの継続時間、前記ダウンリンクデータパケットの量、前記ダウンリンクデータパケットのトラフィック、および、前記ダウンリンクデータパケット間の時間間隔の少なくとも1つを含む、
装置。
【請求項１４】
請求項8から13のいずれか１項に記載の装置であって、
ダイレクトトンネルを確立するための前記所定の条件が、移動管理ネットワーク要素上に構成されている、または、
ダイレクトトンネルを確立するための前記所定の条件は、オペレーションおよびメンテナンスネットワーク要素またはパラメータ配信ネットワーク要素上に構成されており、前記移動管理ネットワーク要素に配信される、
装置。
【発明の詳細な説明】
【技術分野】
【０００１】
本発明は、通信技術の分野に関し、特に、ダイレクトトンネルを確立するための方法および装置に関する。
【背景技術】
【０００２】
GTP（General Packet Radio Service Tunneling Protocol）は、GPRSネットワークのネットワーク要素間に広く適用される通信プロトコルであり、例えば、SGSN（Serving GPRS Support Node）とGGSN（Gateway GPRS Support Node）との間に適用され、GTPは、EPS（Evolved Packet System）で使用され続けられる。GTPは、シグナリングメッセージおよびサービスデータパケットを転送するために使用される。GTPプロトコルを使用するネットワーク要素は、IPアドレス、UDP（User Data Protocol）ポート番号、および、TEID（Tunnel Endpoint Identifier）を使用して、GTPトンネルを識別する。
【０００３】
ダイレクトトンネルは、GPRSネットワーク内のユーザプレーントンネルモードの一つであり、EPSネットワークにおいても使用される。RNC（Radio Network Controller）およびGGSNまたはSGW（Serving Gateway）は、EPSネットワーク内のSGWを使用して、ユーザプレーントンネルを直接確立し、SGSNを通過する必要なしに、アップリンクおよびダウンリンクのユーザプレーンデータパケットがRNCとGGSN（またはSGW）との間で直接転送される。ユーザ端末がダイレクトトンネルモードにおいてアイドル状態の場合、SGSNは、シグナリングメッセージを用いて、GGSN（またはSGW）上のユーザプレーントンネルを更新し、SGSNとGGSN（またはSGW）との間のユーザプレーントンネルを確立する；アイドル状態のユーザ端末のダウンリンクデータパケットが、対応するユーザプレーントンネルを介してSGSNに転送されるとき、SGSNは、ユーザ端末とネットワークとの間のシグナリング接続と無線ベアラとを確立し、ユーザ端末を接続状態に変更するように、サービス要求プロセスを開始するためにユーザ端末をトリガするためのページングプロセスを開始する。サービス要求プロセスにおいて、SGSNがダイレクトトンネルを確立することを決定した場合、SGSNは、RNCとGGSN（またはSGW）とのトンネルエンドポイント識別子を交換するために、別々に、RNCとGGSN（またはSGW）とのシグナリングメッセージを交換し、RNCとGGSN（またはSGW）との間のダイレクトトンネルを確立する。また、サービス要求プロセスは、能動的にユーザ端末によって開始されてもよい。ダイレクトトンネルのメカニズムは、ユーザプレーンデータパケットを転送するためのパスホップの数を減らすことができ、それによってサービス遅延を低減することができる。
【０００４】
しかしながら、いくつかのサービスや端末の特性に起因して、ダイレクトトンネルを確立するために、または、ダイレクトトンネルをキャンセルするために、SGSNは、頻繁に、GGSNまたはSGWへシグナリングメッセージを送信する。このため、GGSNまたはSGWにおいて処理が必要なシグナリングメッセージ数が増加し、GGSNまたはSGWにおけるシグナリング負荷が増加する。
【発明の概要】
【発明が解決しようとする課題】
【０００５】
本発明の実施形態は、GGSNまたはSGWにおいて処理が必要なシグナリングメッセージの数を低減することができ、GGSNまたはSGWにおけるシグナリング負荷を低減することができるダイレクトトンネルを確立するための方法および装置を提供する。
【課題を解決するための手段】
【０００６】
上記の目的を達成するために、以下の技術的解決策が、本発明の実施形態において使用される。
【０００７】
ダイレクトトンネルを確立するための方法であって、
移動管理ネットワーク要素が、ユーザ端末の特性がダイレクトトンネルを確立するための所定の条件を満たしていると決定するステップと、
無線アクセスネットワークとゲートウェイとの間のダウンリンクダイレクトトンネルを確立するためにゲートウェイに要求メッセージを送信するステップと、
前記無線アクセスネットワークと前記ゲートウェイとの間の前記ダウンリンクダイレクトトンネルが正常に確立されたことを確認するための、前記ゲートウェイによって送信される応答メッセージを受信するステップと、
を備える方法。
【０００８】
ダイレクトトンネルを確立するための装置であって、
ユーザ端末の特性がダイレクトトンネルを確立するための所定の条件を満たしていると決定するように構成されている決定部と、
無線アクセスネットワークとゲートウェイとの間のダウンリンクダイレクトトンネルを確立するためにゲートウェイに要求メッセージを送信するように構成されている送信部と、
前記無線アクセスネットワークと前記ゲートウェイとの間の前記ダウンリンクダイレクトトンネルが正常に確立されたことを確認するための、前記ゲートウェイによって送信される応答メッセージを受信するように構成されている受信部と、
を備える装置。
【発明の効果】
【０００９】
本発明の実施形態によって提供されるダイレクトトンネルを確立するための方法および装置において、ユーザ端末の特性がダイレクトトンネルを確立するための所定の条件を満たしていると決定され；無線アクセスネットワークとゲートウェイとの間のダウンリンクダイレクトトンネルを確立するために要求メッセージがゲートウェイに送信され；前記無線アクセスネットワークと前記ゲートウェイとの間の前記ダウンリンクダイレクトトンネルが正常に確立されたことを確認するための応答メッセージであって、前記ゲートウェイによって送信された応答メッセージが受信される。従来技術では、ダイレクトトンネルが確立されると、シグナリングメッセージが頻繁にGGSNまたはSGWへ送信される。このため、GGSNまたはSGWにおいて処理が必要なシグナリングメッセージ数が増加し、GGSNまたはSGWにおけるシグナリング負荷が増加する。本発明の実施形態で提供されるソリューションは、GGSNまたはSGWにおいて処理が必要なシグナリングメッセージの数を低減することができ、GGSNまたはSGWにおけるシグナリング負荷を低減することができ、同時に、いくつかのサービスの遅延要件を保証することができる。
【図面の簡単な説明】
【００１０】
本発明の実施形態または従来技術における技術的な解決策をより明確に説明するために、以下に、実施形態または従来技術を説明するために必要な添付図面の簡単な説明をする。明らかに、以下の説明における添付図面は、本発明の単なるある実施形態であり、当業者は、創造的努力をすることなく、これらの添付図面に従って、さらなる他の図面を取得することができる。
【図１】図1は、本発明の第１実施形態に係るダイレクトトンネルを確立するための方法のフローチャートである。
【図２】図2は、本発明の第１実施形態に係るダイレクトトンネルを確立するための装置のブロック図である。
【図３】図3は、本発明の第２実施形態に係るGPRSネットワークにおいてダイレクトトンネルを確立するための方法のフローチャートである。
【図４】図4は、本発明の第２実施形態に係るEPSネットワークにおいてダイレクトトンネルを確立するための方法のフローチャートである。
【図５】図5は、本発明の第２実施形態に係るGPRSネットワークにおいてダイレクトトンネルを確立するための別の方法のフローチャートである。
【図６】図6は、本発明の第２実施形態に係るEPSネットワークにおいてダイレクトトンネルを確立するための別の方法のフローチャートである。
【図７】図7は、本発明の第２実施形態に係るダイレクトトンネルを確立するための装置のブロック図である。
【発明を実施するための形態】
【００１１】
以下、本発明の実施形態における添付図面を参照して、本発明の実施形態における技術的解決策を明確かつ完全に説明する。明らかに、後述する実施形態は、本発明の実施形態の全てでなく、むしろ単なる一部である。創造的努力をすることなく本発明の実施形態に基づいて当業者によって得られる他のすべての実施形態は、本発明の保護範囲内に入るものである。
【００１２】
第１実施形態
本発明の実施形態は、ダイレクトトンネルを確立するための方法を提供する。図１に示すように、方法は以下のステップを含む。
【００１３】
ステップ101：移動管理ネットワーク要素が、ユーザ端末の特性がダイレクトトンネルを確立するための所定の条件を満たしていると決定する。
【００１４】
前記ユーザ端末の前記特性は、前記ユーザ端末のシグナリング特性と前記ユーザ端末のサービス属性とのうちの少なくとも1つを含み、前記ユーザ端末の前記シグナリング特性が、前記ユーザ端末の接続状態とアイドル状態との間の切り替えの頻度と前記ユーザ端末のタイプとの少なくとも1つを含み、前記ユーザ端末の前記サービス属性は、前記ユーザ端末のPDPコンテキストまたは前記ユーザ端末のベアラコンテキストに対応するサービスの継続時間、サービスのタイプ、前記ユーザ端末の前記PDPコンテキストまたは前記ユーザ端末の前記ベアラコンテキストに対応するダウンリンクデータパケットの継続時間、前記ダウンリンクデータパケットの量、前記ダウンリンクデータパケットのトラフィック、および、前記ダウンリンクデータパケット間の時間間隔の少なくとも1つを含む。
【００１５】
選択的に、前記ユーザ端末の接続状態とアイドル状態との間の切り替えの頻度が計数され、移動管理ネットワーク要素が、前記頻度が予め設定された頻度の範囲内にあることを決定する、または、
移動管理ネットワーク要素が、ユーザ端末のタイプが予め設定されたタイプの範囲内であると決定する、または、
移動管理ネットワーク要素が、前記ユーザ端末のPDPコンテキストまたは前記ユーザ端末のベアラコンテキストに対応する受信したサービスの継続時間を計数する、ここで、
継続時間が予め設定された継続時間の範囲内にある、または、
移動管理ネットワーク要素が、前記ユーザ端末のPDPコンテキストまたは前記ユーザ端末のベアラコンテキストに対応する前記ダウンリンクデータパケットの量を計数する、ここで、量が予め設定された量の範囲内にある、または、
移動管理ネットワーク要素が、前記ユーザ端末のPDPコンテキストまたは前記ユーザ端末のベアラコンテキストに対応する前記ダウンリンクデータパケットの前記トラフィックを計数する、ここで、トラフィックが予め設定されたトラフィックの範囲内にある、または、
移動管理ネットワーク要素が、前記ユーザ端末のPDPコンテキストまたは前記ユーザ端末のベアラコンテキストに対応する前記ダウンリンクデータパケットの前記時間間隔を計数する、ここで、時間間隔が予め設定された時間間隔の範囲内にある、または、
移動管理ネットワーク要素が、前記ユーザ端末のPDPコンテキストまたは前記ユーザ端末のベアラコンテキストに対応するサービスのタイプが予め設定されたサービスのタイプであると決定する。
【００１６】
ステップ102：要求メッセージがゲートウェイへ送信される。ここで、要求メッセージは、無線アクセスネットワークとゲートウェイとの間のダウンリンクダイレクトトンネルを確立するために使用される。
【００１７】
選択的に、ダイレクトトンネルを確立するための所定の条件が、移動管理ネットワーク要素上に構成されている；または、ダイレクトトンネルを確立するための所定の条件は、オペレーションおよびメンテナンスネットワーク要素またはパラメータ配信ネットワーク要素上に構成されており、移動管理ネットワーク要素に配信される。パラメータ配信ネットワーク要素は、ポリシーおよび課金ルール機能ネットワーク要素、またはデータゲートウェイなどのネットワーク要素であってもよい。
【００１８】
ゲートウェイは、データゲートウェイであってもよいし、サービングゲートウェイであてもよい。
【００１９】
ステップ103：ゲートウェイによって送信された応答メッセージを受信する。ここで、応答メッセージは、無線アクセスネットワークとゲートウェイとの間のダウンリンクダイレクトトンネルが正常に確立されたことを確認するために使用される。
【００２０】
ゲートウェイは、受信した要求メッセージ内に搬送された、RNCのユーザプレーンIPアドレスと、RNCによって割り当てられたダウンリンクユーザプレーントンネルエンドポイント識別子に従ってダイレクトトンネルを確立し、その後、ユーザ端末のPDPコンテキストまたはユーザ端末のベアラコンテキストに対応するダウンリンクサービスデータパケットが、データゲートウェイまたはサービングゲートウェイを使用して確立されたダイレクトトンネルを介して無線アクセスネットワークに送信されることができるように、移動管理ネットワーク要素に応答メッセージを送信する。
【００２１】
本発明の実施形態によって提供されるダイレクトトンネルを確立するための方法において、ユーザ端末の特性がダイレクトトンネルを確立するための所定の条件を満たしていると決定される、無線アクセスネットワークとゲートウェイとの間のダウンリンクダイレクトトンネルを確立するために、要求メッセージがゲートウェイに送信される；ゲートウェイによって送信された応答メッセージが受信される、ここで応答メッセージは、無線アクセスネットワークとゲートウェイとの間のダウンリンクダイレクトトンネルが正常に確立されたことを確認するために使用される。本発明の実施形態では、ユーザ端末の特性に従って、接続状態とアイドル状態との間で頻繁に切り替えるユーザ端末のために確立されたダウンリンクダイレクトトンネルが低減される。従って、GGSNまたはSGWにおいて処理が必要なシグナリングメッセージの数を低減することができ、GGSNまたはSGWにおけるシグナリング負荷を低減することができ、同時に、いくつかのサービスの遅延要件を保証することができる。
【００２２】
本発明の実施形態は、ダイレクトトンネルを確立するための装置を提供する。ここで、装置が移動管理ネットワーク要素であってもよい。図２に示すように、装置は、決定部201、送信部202、および、受信部203を含む。
【００２３】
決定部201は、ユーザ端末の特性がダイレクトトンネルを確立するための所定の条件を満たしていると決定するように構成されている。
【００２４】
ユーザ端末の特性は、ユーザ端末のシグナリング特性とユーザ端末のサービス属性とのうちの少なくとも1つを含み、ユーザ端末のシグナリング特性が、ユーザ端末の接続状態とアイドル状態との間の切り替えの頻度とユーザ端末のタイプとの少なくとも1つを含み、ユーザ端末のサービス属性が、ユーザ端末のPDPコンテキストまたはユーザ端末のベアラコンテキストに対応するサービスの継続時間、サービスのタイプ、ユーザ端末のPDPコンテキストまたはユーザ端末のベアラコンテキストに対応するダウンリンクデータパケットの継続時間、ダウンリンクデータパケットの量、ダウンリンクデータパケットのトラフィック、および、ダウンリンクデータパケット間の時間間隔の少なくとも1つを含む。
【００２５】
さらに、決定部において、第１計数部が、ユーザ端末の接続状態とアイドル状態との間の切り替えの頻度を計数するように構成され、第１決定部が、頻度が予め設定された頻度の範囲内にあることを決定するように構成されている。
【００２６】
さらに、決定部は、特に、ユーザ端末のタイプが予め設定されたタイプの範囲内であると決定するように構成されている。
【００２７】
さらに、決定部において、第２計数部が、ユーザ端末のPDPコンテキストまたはユーザ端末のベアラコンテキストに対応する受信したサービスの継続時間を計数するように構成され、第２決定部が、継続時間が予め設定された継続時間の範囲内にあることを決定するように構成されている、または、
第２計数部が、ユーザ端末のPDPコンテキストまたはユーザ端末のベアラコンテキストに対応するダウンリンクデータパケットの量を計数するように構成され、第２決定部が、量が予め設定された量の範囲内にあることを決定するように構成されている、または、
第２計数部が、ユーザ端末のPDPコンテキストまたはユーザ端末のベアラコンテキストに対応するダウンリンクデータパケットのトラフィックを計数するように構成され、第２決定部が、トラフィックが予め設定されたトラフィックの範囲内にあることを決定するように構成されている、または、
第２計数部が、ユーザ端末のPDPコンテキストまたはユーザ端末のベアラコンテキストに対応するダウンリンクデータパケットの時間間隔を計数するように構成され、第２決定部が、時間間隔が予め設定された時間間隔の範囲内にあることを決定するように構成されている。
【００２８】
さらに決定部は、特に、ユーザ端末のPDPコンテキストまたはユーザ端末のベアラコンテキストに対応するサービスのタイプが予め設定されたサービスのタイプであることを決定するように構成されている。
【００２９】
決定部の機能は、第１計数部と第１決定部とによって完了されてもよいし、第２計数部と第２決定部とによって完了されてもよいことに留意すべきである。
【００３０】
送信部202は、要求メッセージをゲートウェイに送信するように構成されている。ここで、要求メッセージは、無線アクセスネットワークとゲートウェイとの間のダウンリンクダイレクトトンネルを確立するために使用される。
【００３１】
選択的に、ダイレクトトンネルを確立するための所定の条件が、移動管理ネットワーク要素上に構成されている、または、ダイレクトトンネルを確立するための所定の条件は、オペレーションおよびメンテナンスネットワーク要素またはパラメータ配信ネットワーク要素上に構成されており、移動管理ネットワーク要素に配信される。
【００３２】
受信部203は、ゲートウェイによって送信された応答メッセージを受信するように構成されている。ここで応答メッセージは、無線アクセスネットワークとゲートウェイとの間のダウンリンクダイレクトトンネルが正常に確立されたことを確認するために使用される。
【００３３】
本発明の実施形態により提供されるダイレクトトンネルを確立するための装置では、決定部が、ユーザ端末の特性がダイレクトトンネルを確立するための所定の条件を満たしていると決定し；送信部が、要求メッセージをゲートウェイに送信し、ここで要求メッセージは、無線アクセスネットワークとゲートウェイとの間のダウンリンクダイレクトトンネルを確立するために使用され；受信部が、ゲートウェイによって送信された応答メッセージを受信し、ここで応答メッセージは、無線アクセスネットワークとゲートウェイとの間のダウンリンクダイレクトトンネルが正常に確立されたことを確認するために使用される。本発明の実施形態では、ユーザ端末の特性に従って、接続状態とアイドル状態との間で頻繁に切り替えるユーザ端末のために確立されたダウンリンクダイレクトトンネルが低減される。従って、GGSNまたはSGWにおいて処理が必要なシグナリングメッセージの数を低減することができ、GGSNまたはSGWにおけるシグナリング負荷を低減することができ、同時に、いくつかのサービスの遅延要件を保証することができる。
【００３４】
実施形態２
本発明の実施形態は、ダイレクトトンネルを確立するための方法を提供し、この方法の適用シナリオは以下である。GPRSネットワークまたはEPSネットワークにおいて、サービス要求プロセスを開始するためにユーザ端末をトリガするように、アイドル状態のユーザ端末のためのページングプロセスを移動管理ネットワーク要素が開始するときに、または、ユーザ端末が能動的にサービス要求プロセスを開始するときに、ダイレクトトンネルが確立される。
【００３５】
GPRSネットワークでは、無線アクセスネットワークはUTRAN（Universal Terrestrial Radio Access Network）の3GPP（3rd Generation Partnership Project）アクセスを使用しているRNS（Radio Network Subsystem）であり、移動管理ネットワーク要素はSGSNであり、データゲートウェイはGGSNである。
【００３６】
図３に示すように、この方法は以下のステップを含む。
【００３７】
ステップ301：移動管理ネットワーク要素が、データゲートウェイによって送信されたダウンリンクユーザプレーンデータパケットを受信し、ユーザプレーンデータパケットに対応するユーザ端末の状態を取得する。
【００３８】
移動管理ネットワーク要素は、受信されたダウンリンクユーザプレーンデータパケットに対応するユーザコンテキストを使用してユーザ端末の状態を取得する。ユーザコンテキストがダウンリンクのユーザプレーン情報を含んでいない場合、ユーザ端末がアイドル状態にあることを示し；ユーザコンテキストがダウンリンクのユーザプレーン情報を含む場合、ユーザ端末が接続状態にあることを示す。ダウンリンクのユーザプレーン情報は、ユーザプレーンIPアドレスとRNCによって割り当てられたPDPコンテキストのトンネルエンドポイント識別子である。
【００３９】
ステップ302：ユーザ端末がアイドル状態の場合、移動管理ネットワーク要素が、ユーザ端末のためのページングプロセスを開始し、ユーザ端末にページングメッセージを送信する。
【００４０】
なお、ユーザ端末がユーザプレーンデータパケットを送信する必要があるとき、ユーザ端末が能動的にサービス要求プロセスを開始することもできることに留意されたい。この場合、ステップ301およびステップ302は実行されず、すなわち、ページングプロセスが開始されず、無線アクセスネットワークとの接続を確立し、それ以降の処理が直接実行される。
【００４１】
ステップ303：ページングメッセージを検出した後、ユーザ端末は、無線アクセスネットワークとの接続を確立する。
【００４２】
ユーザ端末がページングメッセージを検出した後、ユーザ端末は、無線リソース接続確立プロセスを使用して、ネットワークとのシグナリング接続を復元する。
【００４３】
ステップ304：ユーザ端末が、移動管理ネットワーク要素にサービス要求メッセージを送信する。
【００４４】
無線アクセスネットワークとの接続を確立した後、ユーザ端末は、移動管理ネットワーク要素がユーザ端末のベアラを確立するように、移動管理ネットワーク要素にサービス要求メッセージを送信する。ここでサービス要求メッセージは、ユーザ端末のユーザ識別子を搬送する。
【００４５】
選択的に、移動管理ネットワーク要素は、制御プレーン上でシグナリングメッセージを暗号化するように、セキュリティ機能、ユーザ端末における完全な認証、および、HLR（Home Location Register）のセキュリティベクトルを得ることを実行してもよい。HLRは、ホームユーザの加入情報を管理することと維持する。
【００４６】
ステップ305：移動管理ネットワーク要素は、無線アクセスネットワークとデータゲートウェイとの間のアップリンクダイレクトトンネルを確立するために、無線アクセスベアラ割当要求を無線アクセスネットワークへ送信する。ここで無線アクセスベアラ割当要求は、データゲートウェイのユーザプレーンIPアドレスおよびデータゲートウェイによって割り当てられたPDPコンテキストのアップリンクユーザプレーントンネルエンドポイント識別子を含む。
【００４７】
なお、移動管理ネットワーク要素が、ダウンリンクデータパケットに対応するPDPコンテキストのためのダイレクトトンネルを確立することを決定したとき、無線アクセスネットワークに送信された無線アクセスベアラ割当要求は、データゲートウェイのユーザプレーンIPアドレスとデータゲートウェイによって割り当てられたPDPコンテキストのアップリンクユーザプレーントンネルエンドポイント識別子とを搬送することに留意すべきである。このように、ユーザ端末のPDPコンテキストに対応するアップリンクデータパケットが、無線アクセスネットワークを介し、ダイレクトトンネルを通ってデータゲートウェイへ送信される。ダウンリンクデータパケットは、データゲートウェイを使用することによって、インダイレクトトンネルを介して移動管理ネットワーク要素に送信され、無線アクセスネットワークに転送される。
【００４８】
インダイレクトトンネルは、2つのセクションのトンネルモードと呼ぶことができる。例えば、GPRSネットワークにおいて、同一のPDPコンテキストに対応するトンネルは2つのセクションを有しており、ユーザプレーントンネルがGGSNとSGSNとの間に確立され、ユーザプレーントンネルがSGSNとRNCとの間に確立される。ダイレクトトンネルはまた１つのセクションのトンネルモードと呼ぶことができる。例えば、GPRSネットワークにおいて、同一のPDPコンテキストに対応するトンネルは１つのセクションを有しており、ユーザプレーントンネルがRNCとGGSNによって直接確立される。ダイレクトトンネルモードは、ユーザプレーンデータパケットの転送効率を向上させ、サービス遅延を低減し、ユーザ端末のサービスエクスペリエンスを向上させることができる。
従来技術において、移動管理ネットワーク要素が、ユーザ端末のPDPコンテキストのためのダイレクトトンネルを確立することを決定した場合、アップリンクとダウンリンクとの両方が、ダイレクトトンネルを使用する。
【００４９】
PDPコンテキストのアップリンクユーザプレーントンネルエンドポイント識別子は、データゲートウェイによって無線アクセスネットワークに割り当てられる。選択的に、ユーザ端末が接続状態からアイドル状態へ変更するとき、移動管理ネットワーク要素は、PDPアクティブ化プロセスのシグナリングメッセージまたはPDPコンテキスト更新などの処理を使用して、以前にデータゲートウェイによって送信されたPDPコンテキストのアップリンクユーザプレーントンネルエンドポイント識別子を格納する。
【００５０】
ステップ306：無線アクセスネットワークは、移動管理ネットワーク要素に無線アクセスベアラ割当応答メッセージを返す。無線アクセスベアラ割当応答は、無線アクセスネットワークとゲートウェイとの間のアップリンクダイレクトトンネルが正常に確立されたことを確認するために使用される。
【００５１】
移動管理ネットワーク要素によって送信された無線アクセスベアラ割当要求を受信した後、無線アクセスネットワークはユーザ端末に対して無線ベアラ確立要求を送信し、ユーザ端末は無線アクセスネットワーク確立完了メッセージを無線ベアラへ返す；無線ベアラ確立完了メッセージを受信した後、無線アクセスネットワークは、移動管理ネットワーク要素に無線アクセスベアラ割当応答メッセージを送信する。
【００５２】
なお、無線アクセスベアラ割当応答メッセージは、無線ネットワークコントローラRNCのユーザプレーンIPアドレスとRNCによって割り当てられたダウンリンクユーザプレーントンネルエンドポイント識別子とを含むことに留意すべきである。RNCのユーザプレーンIPアドレスとRNCによって割り当てられたダウンリンクユーザプレーントンネルエンドポイント識別子とは、無線アクセスネットワークとデータゲートウェイとの間のダウンリンクダイレクトトンネルを確立するように、無線アクセスベアラ割当応答メッセージで搬送される。
【００５３】
RNSは無線ネットワークサブシステムであり、すべてのセルのリソースを制御する。各RNSは、１つのRNC（Radio Network Controller）および1つまたは複数のノードBを含む。RNCは、RNSの制御部であり、各種インターフェースの管理し、無線リソース及び無線パラメータを管理する。RNCの主な機能は、システム情報ブロードキャストとアクセス制御機能、ハンドオーバおよびRNC移行などのモビリティ管理機能、およびマクロダイバーシチ合成、電力制御、無全ベアラ割当などのリソース管理機能を含む。ノードBはRNCによって制御され、特定のセルの無線送受信装置を提供し、RNCと無線チャネルとの間の切り替え完了し、ノードBと移動局との間のエアインターフェースを介して無線送信および関連する制御機能を実現する。
【００５４】
ステップ307：移動管理ネットワーク要素は、ユーザ端末の特性がダイレクトトンネルを確立するための所定の条件を満たしているか否かを判定する。
【００５５】
移動管理ネットワーク要素が、ユーザ端末の特性がダイレクトトンネルを確立するための所定の条件を満たしていないと判断した場合、処理する必要があるシグナリングメッセージの数を減らし、データゲートウェイのシグナリング負荷を低減するように、ユーザ端末のための無線アクセスネットワークとデータゲートウェイとの間のダウンリンクダイレクトトンネルは確立されない；移動管理ネットワーク要素が、ユーザ端末の特性がダイレクトトンネルを確立するための所定の条件を満たしていると判断した場合、ステップ308が実行される。
【００５６】
ステップ308：ユーザ端末の特性がダイレクトトンネルを確立するための所定の条件を満たしていると判定した場合、移動管理ネットワーク要素は、パケットデータプロトコルPDPコンテキスト更新要求メッセージをデータゲートウェイに送信する。PDPコンテキスト更新要求メッセージは、RNCのユーザプレーンIPアドレスとRNCによって割り当てられたダウンリンクユーザプレーントンネルエンドポイント識別子とを含み、PDPコンテキスト更新要求メッセージは、無線アクセスネットワークとデータゲートウェイとの間のダウンリンクダイレクトトンネルを確立するために使用される。
【００５７】
選択的に、ダイレクトトンネルを確立するための所定の条件が、移動管理ネットワーク要素上に構成されている；または、ダイレクトトンネルを確立するための所定の条件は、オペレーションおよびメンテナンスネットワーク要素またはパラメータ配信ネットワーク要素上に構成されており、移動性管理ネットワーク要素に配信される。パラメータ配信ネットワーク要素は、ポリシーおよび課金ルールネットワーク要素とデータゲートウェイのようなネットワーク要素であってもよい。
【００５８】
選択的に、ユーザ端末のPDPコンテキストのためのダウンリンクダイレクトトンネルを確立するために、移動管理ネットワーク要素は、ユーザ端末の特性に従って、決定する。ユーザ端末の特性は、ユーザ端末のシグナリング特性とユーザ端末のサービス属性とのうちの少なくとも1つを含む。ユーザ端末のシグナリング特性は、ユーザ端末の接続状態とアイドル状態との間の切り替えの頻度と、ユーザ端末のタイプとの少なくとも一つを含み、ユーザ端末のサービス属性は、ユーザ端末のPDPコンテキストのサービスの継続時間、サービスのタイプ、ユーザ端末のPDPコンテキストに対応するダウンリンクデータパケットの継続時間、ダウンリンクデータパケットの量、ダウンリンクデータパケットのトラフィック、および、ダウンリンクデータパケット間の時間間隔の少なくとも１つを含む。
【００５９】
たとえば、ダイレクトトンネルを確立するための所定の条件が予め設定された状態の切り替えの頻度の閾値範囲である場合、移動管理ネットワーク要素は、ユーザ端末の接続状態とアイドル状態との間の切り替えの頻度を計数し、計数した状態の切り替えの頻度が状態の切り替えの頻度の閾値範囲であると判断されたとき、パケットデータプロトコルPDPコンテキスト更新要求メッセージをゲートウェイへ送信し、無線アクセスネットワークとゲートウェイとの間のダウンリンクダイレクトトンネルを確立する；
選択的に、移動管理ネットワーク要素は、Iuインターフェース解放プロセスとサービス要求プロセスとの発生頻度を計数することにより、ユーザ端末の接続状態とアイドル状態との間の切り替えの頻度を計数してもよい。Iuインターフェースは、RNCとSGSNとの間の接続インターフェースである。Iuインターフェース解放プロセスが実行されるとき、ユーザ端末はアイドル状態に変化し；サービス要求プロセスが実行されるとき、ユーザ端末は接続状態に変化する。頻度が予め設定された頻度の閾値範囲を満足する場合、例えば、ユーザ端末が5分間に2回未満の状態の切り替えを実行し、ユーザ端末が3時間以内に5回以上の状態の切り替え実行する場合、移動管理ネットワークの要素は、無線アクセスネットワークとデータゲートウェイとの間のダウンリンクダイレクトトンネルを確立する。
【００６０】
たとえば、ダイレクトトンネルを確立するための所定の条件がユーザ端末の予め定められたタイプである場合、移動管理ネットワーク要素は、ユーザ端末のタイプが予め設定されたタイプの範囲内にあることを決定し、PDPコンテキスト更新要求メッセージをゲートウェイへ送信し、無線アクセスネットワークとゲートウェイとの間のダウンリンクダイレクトトンネルを確立する；
選択的に、移動管理ネットワーク要素は、別のネットワーク要素によって送信された、受信したシグナリングメッセージに含まれる情報を用いて、ユーザ端末のタイプを得てもよい。例えば、ユーザ端末のタイプは、国際移動装置識別（International Mobile Equipment Identity, IMEI）、または、無線アクセスネットワーク、データゲートウェイまたはサービングゲートウェイなどのネットワーク要素によって送信され、受信したシグナリングメッセージに含まれるユーザ端末タイプ識別子などの情報を使用することによって得られる。たとえば、ユーザ端末の予め定められたタイプがフィーチャーフォンである場合、移動管理ネットワーク要素は、ユーザ端末のタイプが特徴のフィーチャーフォンの場合、無線アクセスネットワークとデータゲートウェイとの間のダウンリンクダイレクトトンネルを確立する；移動管理ネットワーク要素は、ユーザ端末のタイプがスマートフォンである場合、無線アクセスネットワークとデータゲートウェイまたはサービングゲートウェイとの間のダウンリンクダイレクトトンネルを確立しない。スマートフォンは、ファストドーマンシー、プラットフォームおよびサービスのハートビート、およびプッシュ機構などの機能を持っており、これらすべての機能は、スマートフォンを頻繁に接続状態とアイドル状態との間で切り替えさせる。移動管理ネットワーク要素が無線アクセスネットワークとデータゲートウェイまたはサービングゲートウェイとの間のダウンリンクダイレクトトンネルを確立しないことは、データゲートウェイまたはサービングゲートウェイで処理する必要があるシグナリングメッセージを減らすことができる。
【００６１】
たとえば、ダイレクトトンネルを確立するための予め設定された条件が、サービスの予め定められた継続時間の閾値であるとき、移動管理ネットワーク要素は、ユーザ端末のPDPコンテキストに対応する受信されたサービスの継続時間を計数する。ここで、継続時間は、予め定められた期間の範囲内である。例えば、サービスの継続時間が3秒よりも大きい、またはサービスの継続時間が2秒よりも大きい場合、移動管理ネットワーク要素は、無線アクセスネットワークとデータゲートウェイとの間のダウンリンクダイレクトトンネルを確立する。サービスが継続するとき、ユーザ端末は、常に接続状態にある。サービスの期間が長くなるほど、ダイレクトトンネルを確立することを容易にし、ダイレクトトンネルを確立することは、サービスが継続している場合、関連するユーザプレーンの転送のための転送パスホップの数を低減することができ、転送遅延を低減することができる。
【００６２】
例えば、ダイレクトトンネルを確立するための所定の条件が予め設定されたサービスのタイプの場合、移動管理ネットワーク要素は、ユーザ端末のPDPコンテキストに対応するサービスのタイプが予め設定されたサービスのタイプであると決定し、PDPコンテキスト更新要求メッセージをデータゲートウェイへ送信し、無線アクセスネットワークとデータゲートウェイとの間のダウンリンクダイレクトトンネルを確立する。
【００６３】
選択的に、移動管理ネットワーク要素は、ディープパケット解析手段によってダウンリンクデータパケットに対応するサービスタイプを取得してもよいし、差別化サービスコードポイントまたはダウンリンクデータパケットのIPヘッダのフローラベルを用いて、または、GTPヘッダの拡張ヘッダを用いて、ダウンリンクデータパケットのサービスタイプを取得してもよいし、データゲートウェイまたはサービングゲートウェイによって送信されたシグナリングメッセージを用いて、ダウンリンクデータパケットのサービスタイプを取得してもよい。たとえば、予め設定されたサービスタイプが音声サービスまたはビデオサービスであるとき、ダウンリンクデータパケットのサービスタイプが音声である、または、ダウンリンクデータパケットのサービスタイプがビデオサービスある場合、移動管理ネットワーク要素は、無線アクセスネットワークとデータゲートウェイとの間のダウンリンクダイレクトトンネルを確立する。ダウンリンクデータパケットのサービスタイプがインスタントメッセージングサービスである場合、移動管理ネットワーク要素は、無線アクセスネットワークとデータゲートウェイとの間のダウンリンクダイレクトトンネルを確立しない。異なるサービスには遅延の異なる要件がある場合があり、一部のサービスはより長い遅延を許容することができるのに対して、一部のサービスは遅延に敏感である。高い遅延要件を有するサービスのためのダイレクトトンネルを確立することは、ダイレクトトンネルの利点を発揮し、サービス遅延を低減することができる。
【００６４】
例えば、ダイレクトトンネルを確立するための所定の条件が、ダウンリンクデータパケットの予め設定された継続時間の閾値である場合移動管理ネットワーク要素は、現在のPDPコンテキストに対応するダウンリンクデータパケットの継続時間を計数する。例えば、ダウンリンクデータパケットの継続時間が1秒よりも大きいとき、またはダウンリンクデータパケットの継続時間が700ミリ秒以上のとき、移動管理ネットワーク要素は、無線アクセスネットワークとデータゲートウェイとの間のダウンリンクダイレクトトンネルを確立する。ダウンリンクデータパケットの期間が長くなるほど、ダイレクトトンネルを確立することを容易にし、ダイレクトトンネルを確立することは、PDPコンテキストに対応するダウンリンクデータパケットのユーザプレーンの転送のための転送パスホップの数を低減することができ、転送遅延を低減することができる。
【００６５】
たとえば、ダイレクトトンネルを確立するための所定の条件が予め設定されたダウンリンクデータパケットの量である場合、移動管理ネットワーク要素は、ユーザ端末のPDPコンテキストに対応するダウンリンクデータパケットの量を計数する。ここで、量は予め定められた量範囲にある。例えば、ダウンリンクデータパケットの量が10以上である場合、移動管理ネットワーク要素は、無線アクセスネットワークとデータゲートウェイとの間のダウンリンクダイレクトトンネルを確立する。ダウンリンクデータパケットの期間が長くなるほど、ダイレクトトンネルを確立することを容易にし、ダイレクトトンネルを確立することは、ダウンリンクデータパケットの後続のユーザプレーンの転送のための転送パスホップの数を低減することができ、転送遅延を低減することができる。
【００６６】
例えば、ダイレクトトンネルを確立するための所定の条件が、ダウンリンクデータパケットの予め設定されたトラフィックである場合、移動管理ネットワーク要素は、ユーザ端末のPDPコンテキストに対応するダウンリンクデータパケットのトラフィックを計数する。ここで、トラフィックは予め定められたトラフィックの範囲内にある。例えば、ダウンリンクデータパケットのトラフィックが1Mより大きい、またはダウンリンクデータパケットのトラフィックが300K以上である場合、移動管理ネットワーク要素は、無線アクセスネットワークとデータゲートウェイとの間のダウンリンクダイレクトトンネルを確立する。ダウンリンクデータパケットのトラフィックが大きくなるほど、ダイレクトトンネルを確立することを容易にし、ダイレクトトンネルを確立することは、PDPコンテキストに対応するダウンリンクデータパケットのユーザプレーンの転送のための転送パスホップの数を低減することができ、転送遅延を低減することができる。
【００６７】
例えば、ダイレクトトンネルを確立するための所定の条件が、ダウンリンクデータパケット間の時間間隔である場合、移動管理ネットワーク要素は、PDPコンテキストに対応するダウンリンクデータパケット間の時間間隔を計数する。ここで、時間間隔は予め設定された時間間隔の範囲内である。たとえば、データパケット間の時間間隔が2秒よりも大きくない、またはデータパケット間の時間間隔が3秒未満である場合、移動管理ネットワーク要素は、無線アクセスネットワークとデータゲートウェイとの間のダウンリンクダイレクトトンネルを確立する。ダウンリンクデータパケット間のより長い時間間隔は、接続状態とアイドル状態との間の移動管理ネットワーク要素の切り替えの高い可能性につながり、ダイレクトトンネルの不適切な確立につながる。
【００６８】
なお、本発明のステップ308で説明した、データゲートウェイに要求メッセージを送信するための条件は、ユーザ端末機能の１つ、任意の２つの組み合わせ、または、２つ以上の任意の組み合わせがダイレクトトンネルを確立するための所定の条件を満たしたとき、要求メッセージをデータゲートウェイに送信してもよいことに留意すべきである。選択的に、ダイレクトトンネルを確立するための所定の条件は、特定のアプリケーションシナリオに従って設定されてもよい。
【００６９】
ステップ309：データゲートウェイは、PDPコンテキスト更新応答メッセージを移動管理ネットワーク要素へ返す。PDPコンテキスト更新応答メッセージは、NCのユーザプレーンIPアドレスとRNCによって割り当てられたダウンリンクユーザプレーントンネルエンドポイント識別子とに従って、ダイレクトトンネルが正常に確立されたことを確認するために用いられる。
【００７０】
データゲートウェイは、RNCのユーザプレーンIPアドレスとRNCによって割り当てられたダウンリンクユーザプレーントンネルエンドポイント識別子とに従って、ゲートウェイと無線アクセスネットワークとの間のダイレクトトンネルを確立し、ユーザ端末のPDPコンテキストに対応するダウンリンクサービスデータパケットが、データゲートウェイを使用してダイレクトトンネルを介して無線アクセスネットワークに送信される。
【００７１】
ステップ310：移動管理ネットワーク要素が、データゲートウェイによって送信されたPDPコンテキスト更新応答メッセージを受信する。
【００７２】
本発明の実施形態によって提供されるダイレクトトンネルを確立するための方法において、ユーザ端末の特性がダイレクトトンネルを確立するための所定の条件を満たしていると決定される。要求メッセージが、データゲートウェイに送信される。要求メッセージは、無線アクセスネットワークとゲートウェイとの間のダウンリンクダイレクトトンネルを確立するために用いられる。データゲートウェイによって送信された応答メッセージが受信される。応答メッセージは、無線アクセスネットワークとデータゲートウェイとの間のダウンリンクダイレクトトンネルが正常に確立されたことを確認するために使用される。本発明の実施形態では、ユーザ端末の特性に従って、接続状態とアイドル状態との間で頻繁に切り替えるユーザ端末のために確立されたダウンリンクダイレクトトンネルが低減される。従って、GGSNまたはSGWにおいて処理が必要なシグナリングメッセージの数を低減することができ、GGSNまたはSGWにおけるシグナリング負荷を低減することができ、同時に、いくつかのサービスの遅延要件を保証することができる。
【００７３】
本発明の実施形態は、ダイレクトトンネルを確立するための別の方法を提供し、方法の適用シナリオは以下である。EPSネットワークでは、ダイレクトトンネルは、移動管理ネットワーク要素がアイドル状態のユーザ端末のためのサービス要求プロセスを開始するとき、または、ユーザ端末が能動的にサービス要求プロセスを開始するときに、確立される。EPSネットワークでは、アクセスネットワークは、UTRANの3GPPアクセスを使用するRNSであってもよいし、移動管理ネットワーク要素はSGSNであってもよいし、サービングゲートウェイはSGWであってもよいし、データゲートウェイはPGW（Packet Data Network Gateway）であってもよい。
【００７４】
図４に示すように、方法は以下のステップを含む。
【００７５】
ステップ401：移動管理ネットワーク要素は、サービングゲートウェイによって送信されたダウンリンクユーザプレーンデータパケットを受信し、ユーザプレーンデータパケットに対応するユーザ端末の状態を取得する。
【００７６】
移動管理ネットワーク要素は、受信したダウンリンクユーザプレーンデータパケットに対応するユーザコンテキストを使用してユーザ端末の状態を取得する。ユーザコンテキストがダウンリンクのユーザプレーン情報を含んでいない場合、ユーザ端末がアイドル状態にあることを示し；ユーザコンテキストがダウンリンクのユーザプレーン情報を含む場合、ユーザ端末が接続状態にあることを示す。ダウンリンクのユーザプレーン情報は、ユーザプレーンIPアドレスとRNCによって割り当てられたPDPコンテキスト／ベアラコンテキストのトンネルエンドポイント識別子とである。
【００７７】
ステップ402：ユーザ端末がアイドル状態にあるとき、移動管理ネットワーク要素は、ユーザ端末のためのページングプロセスを開始し、ユーザ端末にページングメッセージを送信する。
【００７８】
なお、ユーザ端末がユーザプレーンデータパケットを送信する必要があるとき、ユーザ端末が能動的にサービス要求の処理を開始することもできることに留意されたい。この場合、ステップ401およびステップ402は実行されず、すなわち、ページングプロセスが開始されず、無線アクセスネットワークとの接続の確立と、以降の処理とが直接実行される。
【００７９】
ステップ403：ページングメッセージを検出した後、ユーザ端末は、無線アクセスネットワークとの接続を確立する。
【００８０】
ステップ404：ユーザ端末が、移動管理ネットワーク要素にサービス要求メッセージを送信する。
【００８１】
無線アクセスネットワークとの接続を確立した後、ユーザ端末は、移動管理ネットワーク要素がユーザ端末のベアラを確立するように、サービス要求メッセージを移動管理ネットワーク要素に送信する。サービス要求メッセージは、ユーザ端末のユーザ識別子を搬送する。
【００８２】
選択的に、移動管理ネットワーク要素は、制御プレーン上でシグナリングメッセージを暗号化するように、セキュリティ機能、ユーザ端末における完全な認証、および、HSS（Home Subscriber Server）のセキュリティベクトルを得ることを実行してもよい。HSSは、ホームユーザの加入情報を管理することと維持する。
【００８３】
ステップ405：移動管理ネットワーク要素は、無線アクセスネットワークとサービングゲートウェイとの間のアップリンクダイレクトトンネルを確立するために無線アクセスベアラ割当要求を無線アクセスネットワークへ送信する。無線アクセスベアラ割当要求は、サービングゲートウェイのユーザプレーンIPアドレスとサービングゲートウェイによって割り当てられたベアラのアップリンクユーザプレーントンネルエンドポイント識別子とを含む。
【００８４】
なお、移動管理ネットワーク要素が、ダウンリンクデータパケットに対応するベアラのためのダイレクトトンネルを確立することを決定した場合、無線アクセスネットワークに送信された無線アクセスベアラ割当要求が、サービングゲートウェイのユーザプレーンIPアドレスとサービングゲートウェイによって割り当てられたベアラのアップリンクユーザプレーントンネルエンドポイント識別子とを搬送することに留意すべきである。このように、ユーザ端末のベアラコンテキストに対応するアップリンクデータパケットは、無線アクセスネットワークを利用してダイレクトトンネルを介してサービングゲートウェイに送信される。ダウンリンクデータパケットは、サービングゲートウェイを使用することによって、インダイレクトトンネルを介して移動管理ネットワーク要素に送信され、その後、無線アクセスネットワークに転送される。
【００８５】
ステップ406：無線アクセスネットワークは、無線アクセスベアラ割当応答メッセージを、移動管理ネットワーク要素に返す。無線アクセスベアラ割当応答は、無線アクセスネットワークとサービングゲートウェイとの間のアップリンクダイレクトトンネルが正常に確立されていることを確認するために使用される。
【００８６】
なお、無線アクセスベアラ割当応答メッセージは、無線ネットワークコントローラRNCのユーザプレーンIPアドレスとRNCによって割り当てられたダウンリンクユーザプレーントンネルエンドポイント識別子とを含み；RNCのユーザプレーンIPアドレスとRNCによって割り当てられたダウンリンクユーザプレーントンネルエンドポイント識別子とは、無線アクセスネットワークとサービングゲートウェイとの間のダウンリンクダイレクトトンネルを確立するように、無線アクセスベアラ割当応答メッセージ内に搬送される、ことに留意すべきである。
【００８７】
ステップ407：移動管理ネットワーク要素が、ユーザ端末の特性がダイレクトトンネルを確立するための所定の条件を満たしているか否かを判定する。
【００８８】
移動管理ネットワーク要素が、ユーザ端末の特性がダイレクトトンネルを確立するための所定の条件を満たしていないと判定した場合、処理が必要なシグナリングメッセージの数を低減し、サービングゲートウェイのシグナリング負荷を低減するように、無線アクセスネットワークとサービングゲートウェイとの間のダウンリンクダイレクトトンネルがユーザ端末のために確立されない。移動管理ネットワーク要素が、ユーザ端末の特性がダイレクトトンネルを確立するための所定の条件を満たしていると判定した場合、ステップ408が実行される。
【００８９】
ステップ408：ユーザ端末の特性がダイレクトトンネルを確立するための所定の条件を満たしていると判定した場合、移動管理ネットワーク要素は、ベアラ変更要求メッセージをサービングゲートウェイに送信する。ベアラ変更要求メッセージは、RNCのユーザプレーンIPアドレスとRNCによって割り当てられたダウンリンクユーザプレーントンネルエンドポイント識別子とを含み、ベアラ変更要求メッセージは、無線アクセスネットワークとサービングゲートウェイとの間のダウンリンクダイレクトトンネルを確立するために使用される。
【００９０】
選択的に、ダイレクトトンネルを確立するための所定の条件が、移動管理ネットワーク要素上に構成されている、または、ダイレクトトンネルを確立するための所定の条件は、オペレーションおよびメンテナンスネットワーク要素またはパラメータ配信ネットワーク要素上に構成されており、移動性管理ネットワーク要素に配信される。パラメータ配信ネットワーク要素は、ポリシーおよび課金ルールネットワーク要素とデータゲートウェイのようなネットワーク要素であってもよい。
【００９１】
選択的に、移動管理ネットワーク要素は、ユーザ端末の特性に従って、ユーザ端末のベアラコンテキストのためのダウンリンクダイレクトトンネルを確立することを決定する。ユーザ端末の特性は、ユーザ端末のシグナリング特性とユーザ端末のサービス属性とのうちの少なくとも1つを含み、ユーザ端末のシグナリング特性は、ユーザ端末の接続状態とアイドル状態との間の切り替えの頻度とユーザ端末のタイプとのうちの少なくとも1つを含み、ユーザ端末のサービス属性は、ユーザ端末のベアラコンテキストのサービスの継続時間、サービスのタイプ、ユーザ端末のベアラコンテキストに対応するダウンリンクデータパケットの継続時間、ダウンリンクデータパケットの量、ダウンリンクデータパケットのトラフィック、および、ダウンリンクデータパケット間の時間間隔のうちの少なくとも1つを含む。
【００９２】
ユーザ端末の特性がダイレクトトンネルを確立するための所定の条件を満たしているか否かを決定する処理は、GPRSネットワークにおけるPDPコンテキストがEPSネットワークにおけるベアラコンテキストであること以外は、図3に対応する実施形態におけるステップ308の演算処理と同様である。したがって、詳細は、このステップでは繰り返されない。
【００９３】
本発明のステップ408において、ユーザ端末機能の１つ、任意の２つの組み合わせ、または、２つ以上の任意の組み合わせがダイレクトトンネルを確立するための所定の条件を満たしたとき、要求メッセージがサービングゲートウェイに送信されてもよいことに留意すべきである。選択的に、ダイレクトトンネルを確立するための所定の条件は、特定のアプリケーションシナリオに従って設定されてもよい。
【００９４】
ステップ409：サービングゲートウェイが、ベアラコンテキスト変更応答メッセージを、移動管理ネットワーク要素に返す。ベアラコンテキスト変更応答メッセージは、RNCのユーザプレーンIPアドレスとRNCによって割り当てられたダウンリンクユーザプレーントンネルエンドポイント識別子とに従って、ダイレクトトンネルが正常に確立されたことを確認するために用いられる。
【００９５】
サービングゲートウェイは、RNCのユーザプレーンIPアドレスとRNCによって割り当てられたダウンリンクユーザプレーントンネルエンドポイント識別子とに従って、サービングゲートウェイと無線アクセスネットワークとの間のダイレクトトンネルを確立し、ユーザ端末のベアラコンテキストに対応するダウンリンクサービスデータパケットが、サービングゲートウェイを使用してダイレクトトンネルを介して無線アクセスネットワークに送信される。
【００９６】
ステップ410：移動管理ネットワーク要素が、サービングゲートウェイから送信されたベアラコンテキスト変更応答メッセージを受信する。
【００９７】
本発明のこの実施形態による提供されるダイレクトトンネルを確立するための方法において、ユーザ端末の特性がダイレクトトンネルを確立するための所定の条件を満たしていると決定され、要求メッセージが、サービングゲートウェイに送信される。要求メッセージは、無線アクセスネットワークとゲートウェイとの間のダウンリンクダイレクトトンネルを確立するために使用されるサービングゲートウェイによって送信された応答メッセージが、受信される。応答メッセージは、無線アクセスネットワークとサービングゲートウェイとの間のダウンリンクダイレクトトンネルが正常に確立されたことを確認するために使用される。本発明の実施形態では、ユーザ端末の特性に従って、接続状態とアイドル状態との間で頻繁に切り替えるユーザ端末のために確立されたダウンリンクダイレクトトンネルが低減される。従って、GGSNまたはSGWにおいて処理が必要なシグナリングメッセージの数を低減することができ、GGSNまたはSGWにおけるシグナリング負荷を低減することができ、同時に、いくつかのサービスの遅延要件を保証することができる。
【００９８】
本発明の一実施形態は、ダイレクトトンネルを確立するための別の方法を提供し、方法のアプリケーションシナリオは以下である。GPRSネットワークまたはEPSネットワークでは、ユーザ端末がPDPアクティベーションプロセスを開始するときに、ダイレクトトンネルが確立される。GPRSネットワークでは、アクセスネットワークは、UTRANの3GPPアクセスを使用するRNSであり、移動管理ネットワーク要素はSGSNであり、データゲートウェイはGGSNである。また、本発明のこの実施形態で提供される解決法は、ユーザ端末によって開始されたPDPコンテキスト起動手順に適用することができ、また、ユーザ端末によって開始された二次PDPコンテキスト起動手順に適用することもできる。本発明は、一例として、ユーザ端末によって開始されたPDPコンテキスト起動手順を使用して詳細な説明を与える。
【００９９】
図５に示すように、方法は以下のステップを含む。
【０１００】
ステップ501：ユーザ端末がPDPコンテキスト起動手順を開始し、PDPコンテキストアクティブ化要求メッセージを移動管理ネットワーク要素に送信する。
【０１０１】
PDPコンテキストアクティブ化要求メッセージは、PDPアクティベーションタイプ、PDPアドレス、APN（Access Point Name）、必要なQoS（Quality of Service）、PDP構成オプション等を含んでいる。
【０１０２】
ステップ502：移動管理ネットワーク要素は、ユーザ端末によって送信されたPDPコンテキストアクティブ化要求メッセージを受信し、データゲートウェイへPDPコンテキスト確立要求を送信する。
【０１０３】
ステップ503：データゲートウェイは、移動管理ネットワーク要素によって送信されたPDPコンテキスト確立要求を受信し、PDPコンテキスト確立応答を移動管理ネットワーク要素に返信する。
【０１０４】
データゲートウェイがQoSを満たすことができる場合、PDPコンテキスト確立応答が移動管理ネットワーク要素に返され、データゲートウェイがQoSを満たすことができない場合、PDPコンテキスト確立拒否が移動管理ネットワーク要素に返される。
【０１０５】
PDPコンテキスト確立応答は、データゲートウェイのユーザプレーンIPアドレスとデータゲートウェイによって割り当てられたアップリンクユーザプレーントンネルエンドポイント識別子とを含み、アップリンクダイレクトトンネルを確立するために使用される。
【０１０６】
ステップ504：移動管理ネットワーク要素が、無線アクセスベアラ割当要求を無線アクセスネットワークへ送信する。無線アクセスベアラ割当要求は、データゲートウェイのユーザプレーンIPアドレスとデータゲートウェイによって割り当てられたアップリンクユーザプレーントンネルエンドポイント識別子とを含む。
【０１０７】
ステップ505：無線アクセスネットワークが、無線アクセスベアラ割当応答メッセージを、移動管理ネットワーク要素に返す。無線アクセスベアラ割当応答メッセージは、無線ネットワークコントローラRNCのユーザプレーンIPアドレスとRNCによって割り当てられたダウンリンクユーザプレーントンネルエンドポイント識別子とを含む。
【０１０８】
ステップ504及びステップ505は、上記実施形態におけるステップ305およびステップ306を実行するプロセスと同様であり、RNCのユーザプレーンIPアドレスとRNCによって割り当てられたダウンリンクユーザプレーントンネルエンドポイント識別子とを取得するプロセスである。詳細については、上記実施形態のステップ305及びステップ306を参照することができ、その詳細はここでは繰り返されない。
【０１０９】
ステップ506：移動管理ネットワーク要素は、PDPコンテキストアクティブ化応答メッセージをユーザ端末へ返す。
【０１１０】
ステップ507：移動管理ネットワーク要素は、ユーザ端末の特性がダイレクトトンネルを確立するための所定の条件を満たしているか否かを判定する。
【０１１１】
移動管理ネットワーク要素が、ユーザ端末の特性がダイレクトトンネルを確立するための所定の条件を満たしていないと判断した場合、処理が必要なシグナリングメッセージの数を低減し、データゲートウェイのシグナリング負荷を低減するように、無線アクセスネットワークとデータゲートウェイとの間のダウンリンクダイレクトトンネルをユーザのために確立しない。移動管理ネットワーク要素が、ユーザ端末の特性がダイレクトトンネルを確立するための所定の条件を満たしていると判定した場合、ステップ508が実行される。
【０１１２】
ステップ508：ユーザ端末の特性がダイレクトトンネルを確立するための所定の条件を満たしていると判定した場合、移動管理ネットワーク要素は、無線アクセスネットワークとデータゲートウェイとの間のダウンリンクダイレクトトンネルを確立するために、PDPコンテキスト更新要求メッセージをデータゲートウェイへ送信する。PDPコンテキスト更新要求メッセージは、RNCのユーザプレーンIPアドレスとRNCによって割り当てられたダウンリンクユーザプレーントンネルエンドポイント識別子とを含む。
【０１１３】
ステップ508の実行は、上記実施形態におけるステップ308の実行と同様である。詳細については、ステップ308を参照してもよい。
【０１１４】
なお、本発明のステップ508で説明した、要求メッセージをデータゲートウェイに送信するための条件は、ユーザ端末機能の１つ、任意の２つの組み合わせ、または、２つ以上の任意の組み合わせがダイレクトトンネルを確立するための所定の条件を満たしたとき、要求メッセージをデータゲートウェイへ送信してもよいことに留意すべきである。選択的に、ダイレクトトンネルを確立するための所定の条件は、特定のアプリケーションシナリオに従って設定されてもよい。
【０１１５】
ステップ509：データゲートウェイが、PDPコンテキスト更新応答メッセージを移動管理ネットワーク要素に返す。PDPコンテキスト更新応答メッセージは、RNCのユーザプレーンIPアドレスとRNCによって割り当てられたダウンリンクユーザプレーントンネルエンドポイント識別子とに従って、ダイレクトトンネルが正常に確立されたことを確認するために用いられる。
【０１１６】
ステップ509の実行は、上記実施形態におけるステップ309の実行と同様である。詳細については、ステップ309を参照してもよい。
【０１１７】
データゲートウェイは、RNCのユーザプレーンIPアドレスとRNCによって割り当てられたダウンリンクユーザプレーントンネルエンドポイント識別子とに従って、ゲートウェイと無線アクセスネットワークとの間のダウンリンクダイレクトトンネルを確立する。ユーザ端末のPDPコンテキストに対応するダウンリンクサービスデータパケットが、データゲートウェイを使用してダイレクトトンネルを介して無線アクセスネットワークに送信される。
【０１１８】
ステップ510：移動管理ネットワーク要素が、データゲートウェイから送信されたPDPコンテキスト更新応答メッセージを受信する。
【０１１９】
本発明の実施形態によって提供されるダイレクトトンネルを確立するための方法において、ユーザ端末の特性がダイレクトトンネルを確立するための所定の条件を満たしている場合、パケットデータプロトコルPDPコンテキスト更新要求メッセージがデータゲートウェイに送られる。データゲートウェイが、PDPコンテキスト更新要求メッセージに含まれる、RNCのユーザプレーンIPアドレスと、RNCによって割り当てられたダウンリンクユーザプレーントンネルエンドポイント識別子とに従って、無線アクセスネットワークとデータゲートウェイとの間のダウンリンクダイレクトトンネルを確立し、PDPコンテキスト更新応答メッセージを移動管理ネットワーク要素へ送信する。本発明の実施形態では、ユーザ端末の特性に従って、接続状態とアイドル状態との間で頻繁に切り替えるユーザ端末のために確立されたダウンリンクダイレクトトンネルが低減される。したがって、GGSNまたはSGWにおける処理が必要なシグナリングメッセージの数を低減し、GGSNまたはSGWにおけるシグナリング負荷を低減することができる。
【０１２０】
本発明の一実施形態はダイレクトトンネルを確立するための別の方法を提供し、方法のアプリケーションシナリオは下記である。GPRSネットワークまたはEPSネットワークでは、ユーザ端末がPDP起動手順を開始するときに、ダイレクトトンネルが確立される。EPSネットワークでは、アクセスネットワークはUTRANの3GPPアクセスを使用するRNSであってもよいし、移動管理ネットワーク要素はSGSNであってもよいし、サービングゲートウェイはSGWであってもよいし、データゲートウェイはPGWであってもよい。また、本発明の実施形態で提供される解決法は、ユーザ端末によって開始されたPDPコンテキスト起動手順に適用することができ、また、ユーザ端末によって開始された二次PDPコンテキスト起動手順に適用することもできる。本発明は、一例として、ユーザ端末によって開始された一次PDPコンテキスト起動手順を用いて詳細な説明を与える。
【０１２１】
図６に示すように、方法は以下のステップを含む。 
【０１２２】
ステップ601：ユーザ端末が、PDPコンテキスト起動手順を開始し、PDPコンテキストアクティブ化要求メッセージを移動管理ネットワーク要素に送信する。
【０１２３】
ステップ602：移動管理ネットワーク要素が、セッション確立要求をサービングゲートウェイへ送信する。
【０１２４】
ステップ603：サービングゲートウェイが、移動管理ネットワーク要素によって送信されたセッション確立要求を受信し、セッション確立要求をデータゲートウェイへ転送し、データゲートウェイから応答を受信した後、移動管理ネットワーク要素へセッション確立応答を返信する。
【０１２５】
セッション確立応答は、サービングゲートウェイのユーザプレーンのIPアドレスとサービングゲートウェイによって割り当てられたアップリンクユーザプレーントンネルエンドポイント識別子とを含み、アップリンクダイレクトトンネルを確立するために使用される。
【０１２６】
ステップ604：移動管理ネットワーク要素は、無線アクセスベアラ割当要求を無線アクセスネットワークへ送信する。無線アクセスベアラ割当要求は、サービングゲートウェイのユーザプレーンのIPアドレスと、サービングゲートウェイによって割り当てられたアップリンクユーザプレーントンネルエンドポイント識別子とを含む。
【０１２７】
ステップ605：無線アクセスネットワークは、無線アクセスベアラ割当応答メッセージを、移動管理ネットワーク要素へ返す。無線アクセスベアラ割当応答メッセージは、無線ネットワークコントローラRNCのユーザプレーンIPアドレスとRNCによって割り当てられたダウンリンクユーザプレーントンネルエンドポイント識別子とを含む。
【０１２８】
ステップ604及びステップ605は、上記実施形態におけるステップ305およびステップ306を実行するプロセスと同じであり、RNCのユーザプレーンIPアドレスとRNCによって割り当てられたダウンリンクユーザプレーントンネルエンドポイント識別子とを取得するプロセスである。詳細については、上記実施形態におけるステップ305及びステップ306を参照でき、その詳細はここでは繰り返されない。
【０１２９】
ステップ606：移動管理ネットワーク要素が、PDPコンテキストアクティブ化応答メッセージをユーザ端末へ返す。
【０１３０】
ステップ607：移動管理ネットワーク要素が、ユーザ端末の特性がダイレクトトンネルを確立するための所定の条件を満たしているか否かを判定する。
【０１３１】
移動管理ネットワーク要素が、ユーザ端末の特性がダイレクトトンネルを確立するための所定の条件を満たしていないと判定した場合、処理が必要なシグナリングメッセージの数を低減し、サービングゲートウェイのシグナリング負荷を低減するように、無線アクセスネットワークとサービングゲートウェイとの間のダウンリンクダイレクトトンネルはユーザのために確立されない。移動管理ネットワーク要素が、ユーザ端末の特性がダイレクトトンネルを確立するための所定の条件を満たしていると判定した場合、ステップ608が実行される。
【０１３２】
ステップ608：ユーザ端末の特性がダイレクトトンネルを確立するための所定の条件を満たしていると判定された場合、移動管理ネットワーク要素は、無線アクセスネットワークとサービングゲートウェイとの間のダウンリンクダイレクトトンネルを確立するために、ベアラ変更要求メッセージをサービングゲートウェイに送信する。ベアラ変更要求メッセージは、RNCのユーザプレーンIPアドレスとRNCによって割り当てられたダウンリンクユーザプレーントンネルエンドポイント識別子とを含む。
【０１３３】
ステップ608の実行は、上記実施形態におけるステップ308の実行と同様である。詳細については、ステップ308を参照されてもよい。
【０１３４】
なお、本発明のステップ608で説明した、サービングゲートウェイに要求メッセージを送信するための条件は、ユーザ端末機能の１つ、任意の２つの組み合わせ、または、２つ以上の任意の組み合わせがダイレクトトンネルを確立するための所定の条件を満たしたとき、サービングゲートウェイに要求メッセージを送信してもよいことに留意すべきである。選択的に、ダイレクトトンネルを確立するための所定の条件は、特定のアプリケーションシナリオに従って設定されてもよい。
【０１３５】
ステップ609：サービングゲートウェイは、ベアラ変更応答メッセージを移動管理ネットワーク要素に返す。ベアラ変更応答メッセージは、RNCのユーザプレーンIPアドレスとRNCによって割り当てられたダウンリンクユーザプレーントンネルエンドポイント識別子とに従って、ダイレクトトンネルが正常に確立されたことを確認するために用いられる。
【０１３６】
ステップ609の実行は、上記実施形態におけるステップ309の実行と同様である。詳細については、ステップ309を参照してもよい。
【０１３７】
サービングゲートウェイは、RNCのユーザプレーンIPアドレスとRNCによって割り当てられたダウンリンクユーザプレーントンネルエンドポイント識別子とに従って、ゲートウェイと無線アクセスネットワークとの間のダウンリンクダイレクトトンネルを確立し、ユーザ端末のPDPコンテキストに対応するダウンリンクサービスデータパケットが、サービングゲートウェイを使用してダイレクトトンネルを介して無線アクセスネットワークに送信される。
【０１３８】
ステップ610：移動管理ネットワーク要素が、サービングゲートウェイから送信されたベアラ変更応答メッセージを受信する。
【０１３９】
本発明の実施形態によって提供されるダイレクトトンネルを確立するための方法では、ユーザ端末の特性がダイレクトトンネルを確立するための所定の条件を満たしている場合、ベアラ変更要求メッセージがサービングゲートウェイに送信され、サービングゲートウェイが、ベアラ変更要求メッセージに含まれている、RNCのユーザプレーンIPアドレスと、RNCによって割り当てられたダウンリンクユーザプレーントンネルエンドポイント識別子とに従って、無線アクセスネットワークとサービングゲートウェイとの間のダウンリンクダイレクトトンネルを確立し、ベアラ変更応答メッセージを移動管理ネットワーク要素へ送信する。本発明の実施形態では、ユーザ端末の特性に従って、接続状態とアイドル状態との間で頻繁に切り替えるユーザ端末のために確立されたダウンリンクダイレクトトンネルが低減される。従って、GGSNまたはSGWにおいて処理が必要なシグナリングメッセージの数を低減することができ、GGSNまたはSGWにおけるシグナリング負荷を低減することができ、同時に、いくつかのサービスの遅延要件を保証することができる。
【０１４０】
本発明の実施形態で提供される方法の実施形態に対応して、本発明の実施形態は、ダイレクトトンネルを確立するための装置を提供する。装置は移動管理ネットワーク要素とすることができる。同７に示すように、装置は、送信部701、受信部702および決定部703を含む。
【０１４１】
送信部701は、無線アクセスネットワークとゲートウェイとの間のアップリンクダイレクトトンネルを確立するために、無線アクセスベアラ割当要求を無線アクセスネットワークへ送信するように構成されている。無線アクセスベアラ割当要求は、ゲートウェイのユーザプレーンインターネットプロトコルIPアドレスと、ゲートウェイによって割り当てられたアップリンクユーザプレーントンネルエンドポイント識別子とを含む。
ゲートウェイは、データゲートウェイまたはサービングゲートウェイを含む。
受信部702は、無線アクセスネットワークによって送信された無線アクセスベアラ割当応答を受信するように構成されている。無線アクセスベアラ割当応答は、無線アクセスネットワークとゲートウェイとの間のアップリンクダイレクトトンネルが正常に確立されたことを確認するために使用される。無線アクセスベアラ割当応答は、無線ネットワークコントローラRNCのユーザプレーンインターネットプロトコルIPアドレスとRNCによって割り当てられたダウンリンクユーザプレーントンネルエンドポイント識別子とを含む。
決定部703は、ユーザ端末の特性がダイレクトトンネルを確立するための所定の条件を満たしていると決定するように構成されている。
【０１４２】
ユーザ端末の特性は、ユーザ端末のシグナリング特性とユーザ端末のサービス属性とのうちの少なくとも1つを含む。ユーザ端末のシグナリング特性が、ユーザ端末の接続状態とアイドル状態との間の切り替えの頻度とユーザ端末のタイプとの少なくとも1つを含み、ユーザ端末のサービス属性は、ユーザ端末のPDPコンテキストまたはユーザ端末のベアラコンテキストに対応するサービスの継続時間、サービスのタイプ、ユーザ端末のPDPコンテキストまたはユーザ端末のベアラコンテキストに対応するダウンリンクデータパケットの継続時間、ダウンリンクデータパケットの量、ダウンリンクデータパケットのトラフィック、および、ダウンリンクデータパケット間の時間間隔の少なくとも1つを含む。
【０１４３】
選択的に、ダイレクトトンネルを確立するための所定の条件が、移動管理ネットワーク要素上に構成されている、または、ダイレクトトンネルを確立するための所定の条件は、オペレーションおよびメンテナンスネットワーク要素またはパラメータ配信ネットワーク要素上に構成されており、移動性管理ネットワーク要素に配信される。
【０１４４】
ユーザ端末の特性がダイレクトトンネルを確立するための所定の条件を満たしているという決定に従って、送信部701が、要求メッセージをゲートウェイに送信する。要求メッセージは、無線アクセスネットワークとゲートウェイとの間のダウンリンクダイレクトトンネルを確立するために使用される。
受信部702は、ゲートウェイによって送信された応答メッセージを受信するように構成されている。応答メッセージは、無線アクセスネットワークとゲートウェイとの間のダウンリンクダイレクトトンネルが正常に確立されたことを確認するために使用される。
【０１４５】
また、図７に示すように、決定部703は、第１計数部7031と第１決定部7032とを含む。
決定部703の第１計数部7031は、ユーザ端末の接続状態とアイドル状態との間の切り替えの頻度を計数するように構成されている。決定部703の第１決定部7032は、頻度が予め設定された頻度の範囲内にあることを決定するように構成されている。
【０１４６】
決定部703は、具体的には、ユーザ端末のタイプが予め設定されたタイプの範囲内であると決定するように構成されている。
【０１４７】
また、図７に示すように、決定部703は、第２計数部7033と第２決定部7034とを含む。
【０１４８】
図7において破線で示したように、決定部の機能は、第１計数部7031と第１決定部7032とによって完成されてもよく、また、第２計数部7033と第２決定部7034とによって完了されてもよいことに留意すべきである。
【０１４９】
決定部703の第２計数部7033は、ユーザ端末のPDPコンテキストまたはユーザ端末のベアラコンテキストに対応する受信したサービスの継続時間を計数するように構成されており、決定部703の第２決定部7034は、継続時間が予め設定された継続時間の範囲内にあることを決定するように構成されている。
また、第２計数部7033は、ユーザ端末のPDPコンテキストまたはユーザ端末のベアラコンテキストに対応するダウンリンクデータパケットの量を計数するように構成され、第２決定部7034は、量が予め設定された量の範囲内にあることを決定するように構成されている。
また、第２計数部7033は、ユーザ端末のPDPコンテキストまたはユーザ端末のベアラコンテキストに対応するダウンリンクデータパケットのトラフィックを計数するように構成され、第２決定部7034は、トラフィックが予め設定されたトラフィックの範囲内にあることを決定するように構成されている。
また、第２計数部7033は、ユーザ端末のPDPコンテキストまたはユーザ端末のベアラコンテキストに対応するダウンリンクデータパケットの時間間隔を計数するように構成され、第２決定部7034は、時間間隔が予め設定された時間間隔の範囲内にあることを決定するように構成されている。
【０１５０】
さらに、決定部703は、具体的には、ユーザ端末のPDPコンテキストまたはユーザ端末のベアラコンテキストに対応するサービスのタイプが予め定められたサービスタイプであることを判定するように構成されている。
【０１５１】
また、GPRSネットワークにおいて、送信部701は、PDPコンテキスト更新要求メッセージをデータゲートウェイへ送信する。PDPコンテキスト更新要求メッセージは、RNCのユーザプレーンIPアドレスとRNCによって割り当てられたダウンリンクユーザプレーントンネルエンドポイント識別子とを含む。
EPSネットワークにおいて、送信部701は、ベアラ変更要求メッセージをサービスゲートウェイに送信する。ベアラ変更要求メッセージは、RNCのユーザプレーンIPアドレスとRNCによって割り当てられたダウンリンクユーザプレーントンネルエンドポイント識別子とを含む。
データゲートウェイまたはサービングゲートウェイは、RNCのユーザプレーンIPアドレスとRNCによって割り当てられたダウンリンクユーザプレーントンネルエンドポイント識別子とに従って、ゲートウェイと無線アクセスネットワークとの間のダイレクトトンネルを確立する。ユーザ端末のPDPコンテキストまたはユーザ端末のベアラコンテキストに対応するダウンリンクサービスデータパケットが、データゲートウェイまたはサービングゲートウェイを使用してダイレクトトンネルを介して無線アクセスネットワークに送信される。
【０１５２】
さらに、GPRSネットワークにおいて、受信部702は、データゲートウェイから送信されたPDPコンテキスト更新応答メッセージを受信する。
EPSネットワークにおいて、受信部702は、サービングゲートウェイによって送信されたベアラ変更応答メッセージを受信する。
【０１５３】
本発明の実施形態によって提供されるダイレクトトンネルを確立するための装置において、予め設定された条件が判定され、送信部は、要求メッセージをゲートウェイに送信し、ゲートウェイは、要求メッセージに含まれている、RNCのユーザプレーンIPアドレスと、RNCによって割り当てられたダウンリンクユーザプレーントンネルエンドポイント識別子とに従って、無線アクセスとゲートウェイとの間のダウンリンクダイレクトトンネルを確立し、応答メッセージを移動管理ネットワーク要素に送信する。本発明の実施形態では、ユーザ端末の特性に従って、接続状態とアイドル状態との間で頻繁に切り替えるユーザ端末のために確立されたダウンリンクダイレクトトンネルが低減される。従って、GGSNまたはSGWにおいて処理が必要なシグナリングメッセージの数を低減することができ、GGSNまたはSGWにおけるシグナリング負荷を低減することができ、同時に、いくつかのサービスの遅延要件を保証することができる。
【０１５４】
以上の説明は、本発明の実施形態の単なる例示的な実施形態であるが、本発明の実施形態を限定することを意図するものではない。本発明で開示された技術的範囲内で当業者によって容易に考え出される任意の変形または置換は、本発明の保護範囲内に入るものである。したがって、本発明の保護範囲は、特許請求の範囲の保護範囲に従うものである。
【符号の説明】
【０１５５】
201  決定部
202  送信部
203  受信部
701  送信部
702  受信部
703  決定部
7031  第１計数部
7032  第１決定部
7033  第２計数部
7034  第２決定部
【図１】
0005986287.tif 000002
【図２】
0005986287.tif 000003
【図３】
0005986287.tif 000004
【図４】
0005986287.tif 000005
【図５】
0005986287.tif 000006
【図６】
0005986287.tif 000007
【図７】
0005986287.tif 000008